(57)【特許請求の範囲】
【請求項１】
各種印刷装置内部から給送されてくる記録紙をカッタ刃に当接させて切断する手動式の紙切断装置において、
前記カッタ刃は、前記記録紙とは記録紙幅の両端から当接するように刃の先端部が湾曲を形成する鋸歯状に形成され、
前記鋸歯状の刃先の高さは両端部の範囲のものは中央部の範囲のものよりも高く形成されると共に、刃先角度は、両端部の範囲の刃先角度が中央部の範囲の刃先角度よりも小さく形成されていることを特徴とする紙切断装置。
【請求項２】
前記カッタ刃の上流側に前記記録紙の搬送路の一部を形成する案内部であって、前記記録紙の幅方向に前記カッタ刃側を底部とし両端側が突出する略凹形状曲面の案内部を備えていることを特徴とする請求項１記載の紙切断装置。
【発明の詳細な説明】
【０００１】
【発明の属する技術分野】
本発明は、紙切断装置、更に詳しくは各種印刷装置等の機器に装着され印字記録後に給送されてくる縦長の記録紙をカッタ刃に当接させて更に移動させることにより記録紙を切断する紙切断装置に関する。
【０００２】
【従来の技術】
この種の従来の紙切断装置を図４乃至図６に示す。図６（ａ）は従来技術の印刷装置に配置されたカッタ部の平面図であり、図６（ｂ）はカッタ刃の詳細図である。図５は従来の紙切断装置のカッタ取付部の代表例の断面説明図、図４はカッタ刃の詳細図である。
【０００３】
紙切断装置は、プリンター等の各種印刷機器３の出口部に配置されており、カッタ刃７はカッタ取付フレーム２に取付けられその刃部が切断位置の上流側の搬送経路と略平行となるように配置されている。カッタ刃７は、図４に示すように、刃部の形状はノコギリ刃状の刃高Ｈおよび等ピッチＰで形成され、且つその刃先の先端部ウは直線上に多数並んでいるものである。
【０００４】
上記構成のものにおいては、印刷機器３から送り出されたレシート６は、アから上方の矢印イ方向へ搬送され、カット時にオペレータにより矢印オ方向へ引っ張られ、カッタ７の先端部ウに当接して切断される。この場合、カッタの刃部面７ａと切断位置の上流側のレシート６とのなす曲げ角度θ１は大きいほど、また引っ張り角度θ２は小さいほど切れ味は向上するものである。
【０００５】
また、他の従来例として例えば、実開平２ー６５５６１号公報記載のように、カッタの刃先の形状を両端部と中央部とで変えているものがあった。この何れもが、その刃先の先端が直線上に配置されているものであり、全て刃先が記録紙と同時に当接可能に構成されて記録紙の出口に配置されているものであった。
【０００６】
【発明が解決しようとする課題】
しかしながら、従来の紙切断装置では、全紙幅に多数の刃先が当接していることから、切断するに大きな力を要することから、オペレーターは刃部に対してレシートを一方の端から切断しようと斜めに当接させる。その結果、レシートは一方の端が刃部から外れて全幅がカットされず紙の端部がちぎれてしまうという課題があった。レシート６と刃先部ウとのいつきが悪い場合はレシート６が幅方向に移動して刃部から外れる量が多くなり、切断品質は大変悪いものであった。
【０００７】
又、この従来例の課題を防止するために、切断時のレシートが刃部付近で幅方向に移動しないように常時レシートと当接するように構成されるものもあったがその場合は、レシートの搬送時、特にはレシートの挿入時にレシートが刃部と当接して紙ジャム（紙詰まり）の原因となった。
【０００８】
本発明の目的は、上述の欠点を除去し、カッタの記録紙切断時に紙の全幅がカットされ端部のちぎれを防止する切れ味性能の向上および、搬送される記録紙のカッタ刃への引っかかりによる紙ジャムの防止の両立をはかった信頼性の高い紙切断装置を提供することにある。
【０００９】
【課題を解決するための手段】
本発明の紙切断装置は、各種印刷装置内部から給送されてくる記録紙をカッタ刃に当接させて切断する手動式の紙切断装置において、
前記カッタ刃は、前記記録紙とは記録紙幅の両端から当接するように刃の先端部が湾曲を形成する鋸歯状に形成され、
前記鋸歯状の刃先の高さは両端部の範囲のものは中央部の範囲のものよりも高く形成されると共に、刃先角度は、両端部の範囲の刃先角度が中央部の範囲の刃先角度よりも小さく形成されていることを特徴とする。
【００１０】
上記構成にすることにより、カッタ刃にたいして記録紙が幅方向に所望する位置から多少離れた位置に搬送されたとしても、切断時に記録紙をカッタ側に移動すると刃の先端部が湾曲に形成されているので、記録紙の必ず両端から当接して切断され、記録紙がいったん切断し始めると切断しやすくなる応力集中効果から切れ味は向上する。
また、上記構成にすることにより、切断時に記録紙とは複数の刃先が当接するので相対移動を防ぎ切れ味は向上する。
また、上記構成にすることにより、カッタ刃は、中央部に比して両端側の刃先が鋭利で且つ突出しているので、更に両端側から切断されやすくなると共に、切断時の力を少なくすることができるのでより切れ味が向上する。
【００１５】
また更には、カッタ刃の上流側に記録紙の搬送路の一部を形成する案内部であって、記録紙の幅方向にカッタ刃側を底部とし両端側が突出する略凹形状曲面の案内部を備えていることを特徴とする。
【００１６】
上記構成にすることにより、記録紙の直進性が向上するのでカッタ刃と記録紙の幅方向の相対位置は大きく変化しないので記録紙の幅に対しカッタ刃の幅を大きくとる必要がなく小型化できる。
【００１７】
従って、本発明によれば、カッタの記録紙切断の切れ味性能（ロール紙切断性能）が向上し、かつ送り出される記録紙の刃先への引っかかりによるジャム（紙詰まり）の発生がなくなる。
【００１８】
【発明の実施の形態】
以下、本発明の一実施形態の一例を、図面に基づいて説明する。
【００１９】
図１（Ａ）は、本発明の一実施例のカッタの全体の形状を示す正面図、同図（Ｂ）はその側面図である。
【００２０】
図１において、１０はシート材を切断するカッタであり、１１はカッタ１０の下部に開孔した一対の取付用孔である。また、１０−１，１０ー２はカッタ１０の刃先の両端部、１０ー３はその刃先の残り中央部、θ１はカッタ１０の曲げ角度、Ｈ１、Ｈ２は刃先の高さ、Ｐ１、Ｐ２は刃先のピッチ、Ｚ１、Ｚ２は刃先角度、Ｒは刃先端ウの全体形状の曲率半径である。
【００２１】
図１のように本願発明のカッタ刃１０は、刃先端ウが曲率Ｒの軌跡上にあって、且つ、その高さは両端部１０−１，１０ー２の範囲のものは、中央部１０−３の範囲のものよりも高く形成されている。
【００２２】
更に、カッタ刃１０の刃先角度は、両端部１０ー１，１０ー２の範囲の刃先角度Ｚ１が中央部１０ー３の範囲の刃先角度Ｚ２よりも、安全性に支障のない程度まで小さく形成されている。
【００２３】
従って、実施例のカッタ刃１０は、図示のようにわん曲形状となり、カッタ刃両端部分は刃先が鋭角で刃高が高い細目ノコギリ刃状となり、カッタ刃中央部分は刃先角度が少し広く刃高が低い太目ノコギリ刃状となる。そして、両端の細目部分および中央の太目部分の各刃先をつなぐと、中央部分が低いわん曲形状をもったカッタとなる。
【００２４】
図２は、図１のカッタ刃１０を取付けた本発明の紙切断装置の構成例を示す。
【００２５】
従来例の図５とはカッタ刃が本願のカッタ刃１０に置き換わったものであり、従来と同じもしくは同等の部品には同符号を付した。
【００２６】
次に、レシートの切断状況を説明する。プリンター等の機器３のアの位置から矢印イ方向へ送り出されたレシートは、カット時にオペレータにより矢印オ方向へ引っ張られ、カッタ刃１０の先端部ウに当接する。カッタ刃１０の先端部ウは、中央部１０−３がわん曲により後退していること、及び両端部１０−１，１０−２が中央部１０−３より高いことより、当接初期において、レシート６はその両端部のみががカッタ刃１０と当接する。
【００２７】
レシート６を更に矢印オ方向へ引っ張って移動させると、レシート６は、その両端部から切断されて中央部も切断される。
【００２８】
特に、本願は、カッタ刃１０の両端部分に鋭角の刃先を配置したことにより、レシート６との食いつきが良好で、レシート６幅方向に移動しにくいものである。例え、移動したとしても、刃の先端部が湾曲形状となっていることから中央部に移動されるので、レシート６がカッタ刃１０から外れることはなく、従って、カットされないでちぎれてしまうことは無く、切断品質は大きく向上するものとなる。
【００２９】
更に、カッタ刃１０による切れ味は、カッタ刃１０の先端部ウにおいて、案内部である刃部面１０ａと切断位置の上流側のレシート６とのなす曲げ角度θ１を大きくした方がよくなる。
【００３０】
上ケース４とカッタ刃１０の先端部ウまでの寸法カは近い方がより引っ張り角度θ２を小さく設定できる。レシート６の切断時は、カッタ刃１０の刃の先端部に対するレシートの引っ張り角度θ２が鋭角なほど、切断性能が向上する。
【００３１】
尚、本実施例では、カッタ刃１０の中央部を引くし刃先角度も大きくすることにより、手に怪我をしてしまう等の危険性が大きく低下させることができた。
【００３２】
次に、本願実施の形態の第２例を図３を用いて説明する。
【００３３】
さらに、図３は、カッタの平面図であり、前述の第１例との異なる点は、第１例の案内部の刃部面１０ａが平面であるのに対し第２例の案内部である刃部面１０ｂは、その面の中央部がレシート６から離れるような凹面に形成した点である。
【００３４】
このことにより、レシート６の両端部のくいつきがより向上すると共に、当接する記録紙も凹形状となって記録紙の剛性がましてその直進性が大きく向上する。従って、レシートを手切りカットするときの力の方向が、多少変わってもその進行方向に与える影響が少なくなることことから、記録紙の幅に対しカッタ刃の幅を大きくとる必要がなく小型化できる。
【００３５】
また、操作からみると右手を使って右側から、左手を使って左側からというように、左右どちらからでも円滑にカットすることができる。
【００３６】
また、紙案内の出口の形状をわん曲形状にして記録紙に曲面形状をつける構造にすると、更にカット性能が向上する。
【００３７】
上述の本実施例は、人の手など外部からの力によってレシートをカッタの刃に押し当てて切断する紙切断装置に関するものであり、外力の方向には図２に示すような矢印オ方向を中心にしてある程度のバラツキがあるので、比較的良好な切れ味を実現する上では、図２に示したθ２の角度をより鋭角にするよう、上ケースとの距離カおよび上ケースに突起物のない形状等を心がけることが大切である。
【００３８】
【発明の効果】
以上述べたように本発明によれば、カッタの先端を曲げて接触角度を大きくするのではなく全体の曲げ角度を大きくして、レシートの送り出しを円滑にすると供に、カッタ刃にわん曲形状をつけ両端部を高くすることにより引っ張り角度をできるだけ小さくしてよりレシートの接触をよくしている。またカッタ刃先の形状も両端を刃先角度の鋭角な、刃高の高い細目ノコギリ刃状に形成し、残りの中央部の刃先を刃高の低い刃先角度の広い、ピッチの広い太目ノコギリ刃状に形成したので、レシートの端部がちぎれることなくカットできることとなりレシートの切れ味を向上させ、尚かつ安全面にも配慮したカッタ刃にすることができた。さらに、中央部が低い曲面形状のカッタ刃を使えば、レシートの中央部に向かって曲面が付いているので、手切りカットするとき力の方向に刃が向いているため、左右どちらからでも滑らかにカットすることができる。また、印字後の記録紙に紙案内にわん曲形状をつけることにより、カッタが通常のものでも両端部の接触がよくなり滑らかにカットすることができる。従って本発明によれば、カッタのレシート切断の切れ味性能（シート切断性能）が向上し、かつ送り出されるレシートのカッタ刃先への引っかかりによる紙ジャム（紙詰り）の発生がなくなる。また、手切りカットの操作性の向上がみこまれる。
【００３９】
よって、本発明によれば、レシートの切断性能、操作性能を大幅に改善し、レシートの発行等による切断手段を、簡単な構成で尚かつ極めて低コストで提供できる大きな効果がある。
【図面の簡単な説明】
【図１】本発明の一実施形態を示すカッタの正面図および側面図。
【図２】本発明の一実施形態を示す断面図。
【図３】本発明の第２の実施形態を示すカッタの平面図。
【図４】従来技術の例を示すカッタの正面図および側面図。
【図５】従来技術の例を示す断面図。
【図６】従来技術の例を示す平面図。
【符号の説明】
１    ロール紙カバー
２    カッタ取付フレーム
３    プリンター等の機器
４    上ケース
５    前カバー
６    レシート
７    カッタ
８    カッタ取付孔
１０  カッタ
１１  カッタ取付孔
１２  カッタ
θ１  カッタ曲げ角度
θ２  シートと刃先の引っ張り角度
Ｐ    ピッチ
Ｈ    刃高
Ｚ    刃先角度
【図１】
0003698184.tif 000002
【図２】
0003698184.tif 000003
【図３】
0003698184.tif 000004
【図４】
0003698184.tif 000005
【図５】
0003698184.tif 000006
【図６】
0003698184.tif 000007